(57)【要約】【課題】簡単な構成の光学系を有するプロジェクタ装置を提供する。【解決手段】スクリーン２６上に投影する画像を構成する画素の所定単位ごとに、色信号によって光を変調する第１の液晶板２０と、第１の液晶板２０に対応して、ＲＧＢの三原色光をそれぞれ透過するＲＧＢフィルタを所定パターンに配置してなり、ＲＧＢフィルタによって光をＲＧＢの三原色光に変換する色フィルタ２１と、前記画素ごとに輝度信号によって光を変調する第２の液晶板２３と、を有する。【選択図】　　　図２
2004037702.tif 000002
【特許請求の範囲】
【請求項１】
スクリーンに画像を投影するプロジェクタ装置において、
画像を構成する画素の所定単位ごとに、色信号によって光を変調する第１の液晶板と、
前記第１の液晶板に対応して、ＲＧＢの三原色光をそれぞれ透過するＲＧＢフィルタを所定パターンに配置してなり、前記ＲＧＢフィルタによって光をＲＧＢの三原色光に変換する色フィルタと、
前記画素ごとに輝度信号によって光を変調する第２の液晶板と、
を有するプロジェクタ装置。
【請求項２】
前記第１の液晶板及び色フィルタを透過したＲＧＢの三原色光を前記第２の液晶板において前記所定単位に対応するセルにそれぞれ集光するマイクロレンズアレイを有する請求項１記載のプロジェクタ装置。
【請求項３】
光をＲＧＢの三原色に分解するプリズムと、
前記プリズムで分解されたＲＧＢの三原色を前記第１の液晶板及び色フィルタにおける同色のＲＧＢフィルタに対応するセルに集光するマイクロレンズアレイと、
を有する請求項１又は２記載のプロジェクタ装置。
【発明の詳細な説明】
【０００１】
【発明の属する技術分野】
本発明は、スクリーンに画像を投影するプロジェクタ装置に関する。
【０００２】
【従来の技術】
従来、画像をスクリーンに投影して表示するプロジェクタ装置として、三原色に対応する３枚の液晶表示素子を用いる３板式のプロジェクタ装置が提供されている。
【０００３】
３板式のプロジェクタ装置の技術については、例えば日本オプトメカトロニクス協会出版の「光学技術コンタクト」１９９９年９月号に詳しく解説されている。
【０００４】
図９は、従来の３板式のプロジェクタ装置の概略的な構成を示す断面図である。
【０００５】
プロジェクタ装置１００は、光源１０１、光源１０１を冷却するファン１０２、第１のインテグレータ１０３、第２のインテグレータ１０４、偏光変換素子１０５、フィールドレンズ１０６、第１のミラー１０７、第１のダイクロイックミラー１０８、第２のダイクロイックミラー１０９、第１のリレーレンズ１１０、第２のミラー１１１、第２のリレーレンズ１２３、ＡＲ１２４、及び第３のミラー１２５を有している。
【０００６】
プロジェクタ装置１００は、第４のミラー１１２、第１のコンデンサレンズ１１３、第１の位相板１１４、第１のトリミングフィルタ１１５、第１の液晶板１１６、及び第２の位相板１１７を有している。
【０００７】
プロジェクタ装置１００は、第２のコンデンサレンズ１１８、第３の位相板１１９、第２のトリミングフィルタ１２０、第２の液晶板１２１、及び第４の位相板１２２を有している。
【０００８】
プロジェクタ装置１００は、第３のコンデンサレンズ１２６、第５の位相板１２７、第３のトリミングフィルタ１２８、第３の液晶板１２９、及び第６の位相板１３０を有している。
【０００９】
プロジェクタ装置１００は、クロスダイクロイックプリズム１３１及び投影レンズ１３２を有している。
【００１０】
光源１０１から射出された光は、第１のミラー１０７で反射され、第１のダイクロイックミラー１０８に入射する。第１のダイクロイックミラー１０８に入射した白色光は、緑色（Ｇ）光及び青色（Ｂ）光が透過され、赤色（Ｒ）光が反射される。第１のダイクロイックミラー１０８を透過したＧ光及びＢ光は、第２のダイクロイックミラー１０９に入射し、Ｂ光が透過し、Ｇ光が反射される。
【００１１】
第１のダイクロイックミラー１０８で反射されたＲ光は、第４のミラー１１２で反射され、第１の液晶板１１６で変調され、クロスダイクロイックプリズム１３１に入射する。
【００１２】
同様に、第２のダイクロイックミラー１０９で反射されたＧ光は、第２の液晶板１２１で変調され、クロスダイクロイックミラー１３１に入射する。また、第２のダイクロイックミラー１０９を透過したＢ光は、第２のミラー１１１及び第３のミラー１２５で反射され、第３の液晶板１２９で変調されてクロスダイクロイックプリズム１３１に入射する。
【００１３】
クロスダイクロイックプリズム１３１に入射したＲ光、Ｇ光及びＢ光は、共に投影レンズ１３２に入射され、図示しないスクリーンに投影される。
【００１４】
【発明が解決しようとする課題】
ところで、前述の３板式のプロジェクタ装置は、ＲＧＢの三原色ごとに処理を行うため、色分解系、各色の変調系、合成プリズム系などが必要となり、光学系が複雑で大きかった。
【００１５】
本発明は、前述の実情に鑑みて提案されるものであって、スクリーンに画像を投影するプロジェクタ装置であって、簡単な構成の光学系を有するプロジェクタ装置を提供することを目的とする。
【００１６】
【課題を解決するための手段】
前述の課題を解決するために、本発明に係るプロジェクタ装置は、スクリーンに画像を投影するものであって、画像を構成する画素の所定単位ごとに、色信号によって光を変調する第１の液晶板と、前記第１の液晶板に対応して、ＲＧＢの三原色光をそれぞれ透過するＲＧＢフィルタを所定パターンに配置してなり、前記ＲＧＢフィルタによって光をＲＧＢの三原色光に変換する色フィルタと、前記画素ごとに輝度信号によって光を変調する第２の液晶板と、を有する。
【００１７】
前記第１及び第２の液晶板は、光源からスクリーンに至る光路における光の進行方向について、互いに前段または後段の何れにも配置することができる。また、前記色フィルタは、前記光の進行方向について、第１の液晶板の前段又は後段の何れにも配置することができる。
【００１８】
好ましくは、前記プロジェクタ装置は、前記第１の液晶板及び色フィルタを透過したＲＧＢの三原色光を前記第２の液晶板において前記所定単位に対応するセルにそれぞれ集光するマイクロレンズアレイを有する。
【００１９】
好ましくは、前記プロジェクタ装置は、光をＲＧＢの三原色に分解するプリズムと、前記プリズムで分解されたＲＧＢの三原色を前記第１の液晶板及び色フィルタにおける同色のＲＧＢフィルタに対応するセルに集光するマイクロレンズアレイと、を有する。
【００２０】
【発明の実施の形態】
以下、本発明に係るプロジェクタ装置の実施の形態について、図面を参照して詳細に説明する。
【００２１】
図１は、第１の実施の形態のプロジェクタ装置の概略的な構成を示す断面図である。
【００２２】
プロジェクタ装置１０は、光源１１、光源１１を冷却するファン１２、第１のインテグレータ１３、第２のインテグレータ１４、偏光変換素子１５、フィールドレンズ１６、及びコンデンサレンズ１７を有している。これら光源１１からコンデンサレンズ１７までの部材は、ファン１２を除いて、プロジェクタ装置１０に所定の光束を供給する照明系を構成している。
【００２３】
また、プロジェクタ装置１０は、第１の位相板１８、トリミングフィルタ１９、第１の液晶板２０、色フィルタ２１、第２の位相板２２、第２の液晶板２３、第３の位相板２４、投影レンズ２５を有している。
【００２４】
第１の液晶板２０及び第２の液晶板２３は、複数のセルを面内に配置してなり、セルごとに透過光の旋光度を制御することによって画像を変調する。本実施の形態では、第１及び第２の液晶板２０，２３は、同様のセル配置を有している。
【００２５】
第１の位相板１８、第２の位相板２２及び第３の位相板２４は、それぞれ所定方向の直線偏光を透過させる偏光素子として作用する。第１の液晶板２０は第１及び第２の位相板１８，２２と、第２の液晶板２３は第２及び第３の位相板２２，２４と、それぞれの組み合わせによって透過する光量をセルごとに制御する。
【００２６】
第１の液晶板２０は、色信号で制御され、色フィルタ２１によって変換されるＲＧＢの三原色光の何れかの光量をセルごとに変調する。
【００２７】
第１の液晶板２０の各セルは、第２の液晶板２３において対応する複数のセルに入射する光を変調する。第２の液晶板２３の各セルは、スクリーンにおける画像を構成する対応する画素を変調する。したがって、第１の液晶板２０の各セルは、スクリーンにおける対応する複数の画素（所定単位）を変調している。前記複数のセルは、色フィルタ２１におけるＲＧＢフィルタの一組から構成されるＲＧＢ単位（図２（Ｂ）ｉ又は図４（Ａ）ｕ１参照）に対応するもので、後述するように第１の実施の形態では３個のセルが対応している（図３の２７１〜２７３参照）。
【００２８】
第２の液晶板２３においては、第１の液晶板２０及び色フィルタ２１のＲＧＢ単位から射出されたＲＧＢの三原色が、対応する３個のセルに混合されて入射される。ＲＧＢの三原色光の混合には、例えば対応するセルからの光束の広がりを利用する。
【００２９】
色フィルタ２１は、第１の液晶板２０の各セルの位置に対応して、スクリーン上の画面を規準として水平方向にＲＧＢの順に並べ、縦ストライプなるようにＲＧＢフィルタを配置してなる（図４（Ａ）参照）。
【００３０】
第２の液晶板２３は、輝度（Ｙ）信号で制御され、セルごとに透過する光量を変調する。第２の液晶板２３の各セルには、第１の液晶板２０及び色フィルタ２１において対応するＲＧＢ単位から射出されたＲＧＢの三原色光が混合されて入力される。第２の液晶板２３の各セルは、スクリーン上で画像を構成する各画素に対応している。
【００３１】
図２は、第１の実施の形態のプロジェクタ装置１０による画像の生成を説明する図である。
【００３２】
図２（Ａ）には、プロジェクタ装置１０の要部として、第１の位相板１８、第１の液晶板２０、色フィルタ２１、第２の位相板２２、第２の液晶板２３、第３の位相板２４、及び投影レンズ２５が示されている。
【００３３】
なお、以下の説明では、便宜上、第１の液晶板２０及び第２の液晶板２３において透過する光量を変調するものとして説明するが、実際には各液晶板２０，２３では透過する直線偏光の偏波面を回転させるだけで、光量の変調には各液晶板２０，２３の前後の位相板１８，２２，２４が必要である。
【００３４】
図２（Ｂ）は、図２（Ａ）の各部における光の構成を示す図である。
【００３５】
第１の液晶板２０には、照明系から白色光による所定の収束光が入射される。この白色光は、図中ａに示すように同じ光量のＲＧＢの三原色光から構成されている。
【００３６】
図中ａは、ＲＧＢ三原色光の光量と同時に、色フィルタ２１におけるＲＧＢフィルタの配置も概念的に示している。本実施の形態では、色フィルタ２１は、ＲＧＢフィルタを縦ストライプ状に配置してなり、図中ｉ，ｉｉ，ｉｉｉのような３×１のＲＧＢフィルタの一組がＲＧＢ単位に相当している。以下でも同様とする。
【００３７】
第１の液晶板２０は、入力された色信号に従い、入射した白色光の透過する光量をセルごとに変調する。第１の液晶板２０を透過した光は、第１の液晶板２０の各セルに対応する位置にそれぞれ配置されたＲＧＢフィルタからなる色フィルタ２１を透過し、ＲＧＢの三原色光に変換される。このように第１の液晶板２０及び色フィルタ２１においては、入力される色信号によって色分離が行われる。
【００３８】
図中ｂは、色フィルタ２１を透過したＲＧＢの三原色光を示す図である。図中ａの白色光では同じ光量であったＲＧＢの三原色光は、ＲＧＢ単位ごとに光量が変調されている。
【００３９】
第１の液晶板２０における色信号の制御は、色フィルタ２１から射出されたＲＧＢの三原色光において、各ＲＧＢ単位のＲＧＢの三原色光の光量の最大値が一定になるように次の式（１）に従ってＲＧＢ単位ごとに行う。例えば、Ｒ，Ｇ，ＢをＲ，Ｇ，Ｂの色信号のそれぞれの大きさとし、ＫをＲ，Ｇ，Ｂの三原色光の最大値とし、Ｋを一定値とする。制御されたＲＧＢの三原色光の各色の信号の大きさは、次の式で表される。
【００４０】
Ｒ＝Ｒ（Ｋ／Ｋ）
Ｇ＝Ｇ（Ｋ／Ｋ）　　　　　　　　・・・（１）
Ｂ＝Ｂ（Ｋ／Ｋ）
色フィルタ２１から射出されたＲＧＢの三原色光は、ＲＧＢ単位ごとに例えば光束の広がりを利用して混合され、第２の液晶板２３においてＲＧＢ単位に対応する３個のセルに入射される。図中ｃは、第２の液晶板２３のセルに入射される混合された光を示す図である。第１の液晶板２０における変調によってＲＧＢの三原色光の割合は異なっているが、前記式（１）による制御の結果、ＲＧＢの三原色光の全光量はほぼ等しい。
【００４１】
第２の液晶板２３は、入力された輝度信号によって透過する光量をセルごとに変調する。第２の液晶板２３の各セルは、スクリーン２６上の画像を構成する画素にそれぞれ対応している。第２の液晶板２３で変調された光は、投影レンズ２５を介してスクリーン２６に投影される。
【００４２】
図中ｄは、第２の液晶板２３において変調された光を示す図である。ＲＧＢ単位に対応する３個のセルにおいてそれぞれ変調された光は、光量こそ異なるものの、ＲＧＢの三原色光を同じ割合で含んでいる。なお、図中ｄの各行がスクリーン２６における画素に相当している。
【００４３】
図３は、スクリーン２６上における画素の配置を説明する図である。
【００４４】
この図は、スクリーン２６上における画素の配置を説明するため、便宜上、一部の画素のみを拡大して示したものであり、スクリーン２６に対する画素の寸法の比率は正確ではない。
【００４５】
スクリーン２６に表示される画像は、画素２７１〜２７９のような画素によって構成されている。画素２７１〜２７３、画素２７４〜２７６及び画素２７７〜２７９は、例えば図２（Ｂ）に示したＲＧＢ単位ｉ，ｉｉ，ｉｉｉにそれぞれ対応している。すなわち、画素２７１〜２７９は、第１の液晶板２０によって、このような３×１の画素を一組としてＲＧＢの三原色光について変調されている。各一組の画素においては、ＲＧＢの三原色光の割合はそれぞれ等しい（図２（ｂ）ｄ参照）。そして、画素２７１〜２７９は、第２の液晶板２３によって、画素ごとに輝度を変調されている。
【００４６】
このように、第１の実施の形態においては、色信号による３×１画素を単位として変調されているが、輝度信号による白黒画像は各画素を単位として変調されている。したがって、色の解像度は輝度の解像度の１／３に低下しているが、人間の目は白黒画像の解像度と比較して色の解像度に対する感度が低いという特性を有するので、色信号と輝度信号について合成してなる画像に対する解像度のレベルの低下はさほど感じられない。
【００４７】
また、第１の実施の形態のプロジェクタ装置は、２枚の液晶板２０，２３と、３枚の位相板１８，２２，２４とを用いている。従来の３板式のプロジェクタ装置においては３枚の液晶板と６枚の位相板を用いていたことと比較すると、液晶板及び位相板の数は、格段に少なくなっている。また、３板式のプロジェクタ装置において必要としていた複雑な分光光学系やクロスダイクロイックプリズムも必要としない。
【００４８】
前述のように、第１の実施の形態では、ＲＧＢフィルタを水平方向に並べ、縦ストライプに配置した色フィルタ２１を用いたが、色フィルタ２１においてはＲＧＢフィルタを他のパターンに配置することもできる。
【００４９】
図４は、色フィルタ２１におけるＲＧＢフィルタの各種配置を示す図である。図においては、スクリーンに表示された画像を規準としてＲＧＢフィルタの配置を示している。すなわち、図中の水平方向及び垂直方向は、画像における方向と一致している。
【００５０】
図４（Ａ）は、ＲＧＢフィルタの配置の第１の具体例を示す。第１の具体例は、第１の実施の形態における色フィルタ２１に採用したものであり、画面の水平方向にＲＧＢフィルタを並べ、縦ストライプ状に順に配置してなる。ＲＧＢ単位ｕ１は、３×１の一組のＲＧＢフィルタからなる。したがって、色の解像度は、輝度の解像度と比較すると、水平方向に１／３になる。
【００５１】
図４（Ｂ）は、ＲＧＢフィルタの配置の第２の具体例を示す。第２の具体例は、画面の垂直方向にＲＧＢフィルタを並べ、横ストライプ状に配置してなる。ＲＧＢ単位ｕ２は、１×３の一組のＲＧＢフィルタからなる。したがって、色の解像度は、輝度の解像度と比較すると、垂直方向に１／３になる。
【００５２】
図４（Ｃ）は、ＲＧＢフィルタの配置の第３の具体例を示す。第３の具体例は、左上のＲ、左下のＧ、右上のＢを含む２×２の一組のＲＧＢフィルタをＲＧＢ単位ｕ３として、このＲＧＢ単位ｕ３の各辺を隣接するＲＧＢ単位と共有するように、水平及び垂直方向に配置してなる。したがって、色の解像度は、輝度の解像度と比較すると、水平方向及び垂直方向についてともに１／２になる。第３の具体例においては、ＲＧＢフィルタは格子状に配置され、ＲＧＢ単位ｕ３は、右下に光を透過しないフィルタを含んでいる。これは、次の第４の具体例においても同様である。
【００５３】
図４（Ｄ）は、ＲＧＢフィルタの配置の第４の具体例を示す。第４の具体例は、第３の具体例と同様のＲＧＢ単位ｕ４を有するが、ＲＧＢ単位ｕ４の水平方向一行ごとに、ＲＧＢ単位はＲＧＢフィルタの１つ分水平方向にずれている。この第４の実施の形態においても、色についての解像度は、輝度の解像度と比較すると、水平方向及び垂直方向についてともに１／２になる。
【００５４】
第３又は第４の具体例を用いることにより、第１の具体例及び第２の具体例において、画像の水平及び垂直方向に極端に異なる色信号による解像度のバランスを向上させることができる。すなわち、第１の具体例及び第２の具体例における色の解像度は、水平方向と垂直方向の間に３倍の差異があった。これに対して、第３の具体例及び第４の具体例においては、水平方向及び垂直方向の色の解像度は等しい。
【００５５】
図５は、第２の実施の形態による画像の生成を説明する図である。
【００５６】
図５（Ａ）は、第２の実施の形態のプロジェクタ装置の要部の構成を示す断面図である。第１の実施の形態のプロジェクタ装置と共通する部材については、同一の符号を附して説明を省略する。
【００５７】
第２の実施の形態のプロジェクタ装置は、第１の実施の形態のプロジェクタ装置にマイクロレンズアレイ３１を加えてなるものである。他の部分の構成については、図１に示した第１の実施の形態のプロジェクタ装置と同様である。
【００５８】
すなわち、第２の実施の形態のプロジェクタ装置は、第１の実施の形態と比較すると、色フィルタ２１と第２の位相板２２の間に、マイクロレンズアレイ３１を有している。
【００５９】
マイクロアレイレンズアレイ３１は、複数のレンズを面内に集積してなるものであり、第１の液晶板２０及び色フィルタ２１のＲＧＢ単位から射出されたＲＧＢの三原色光を混合し、第２の液晶板２３における対応するセル上にそれぞれ集光する。
【００６０】
図５（Ｂ）は、図５（Ａ）の各部における光の構成を示す図である。図中ａは、照明系から入射された白色光であり、同じ光量のＲＧＢの三原色光から構成されている。図中ｂは、第１の液晶板２０及び色フィルタ２１によってセルごとに色分離されたＲＧＢの三原色光を示している。図中ｃは、ＲＧＢ単位ごとに色分離されたＲＧＢの三原色光が混合された光を示している。図中ｄは、第２の液晶板２３において混合された光がＲＧＢ単位に対応するセルごとに輝度によって変調された光を示している。
【００６１】
第２の実施の形態のプロジェクタ装置１０においては、マイクロレンズアレイ３１を用いることにより、ＲＧＢの三原色の光束を、第２の液晶板２３に精度良く集光することができる。
【００６２】
図６は、第３の実施の形態による画像の生成を説明する図である。
【００６３】
図６（Ａ）は、第３の実施の形態のプロジェクタ装置の要部の構成を示す断面図である。第１の実施の形態のプロジェクタ装置と共通する部材については、同一の符号を附して説明を省略する。
【００６４】
第３の実施の形態のプロジェクタ装置は、第１の実施の形態のプロジェクタ装置に第１のマイクロレンズアレイ３１、第２のマイクロレンズ３３及びプリズム３２を加えてなるものである。このうち、第１のマイクロレンズ３１は、第２の実施の形態におけるマイクロレンズ３１と共通するものである。
【００６５】
すなわち、第３の実施の形態のプロジェクタ装置は、第１の実施の形態と比較すると、第１の位相板１８の前段のプリズム３２、第１の位相板１８及び第１の液晶板２０の間の第２のマイクロレンズアレイ３３、及び色フィルタ２１及び第２の位相板２２の間の第１のマイクレンズアレイ３１を有している。
【００６６】
照明系から入射された光の三原色は、プリズム３２によって異なる方向を向く。プリズムによって分離されたＲＧＢの三原色光は、第２のマイクロアレイレンズ３３によって、色フィルタ２１における同色のＲＧＢフィルタに対応するセルに集光される。色フィルタ２１を透過した三原色光は、第１のマイクロアレイレンズ３１によって、第２の液晶板２３の対応するセルに集光される。
【００６７】
図６（Ｂ）は、図６（Ａ）の各部における光の構成を示す図である。図中ａは、プリズムにより異なる方向を向く三原色を示すものである。
【００６８】
図中ｂは、第１の液晶板２０及び色フィルタ２１によってセルごとに色分離されたＲＧＢの三原色光を示している。液晶板２０及び色フィルタ２１に入射される光は予めＲＧＢの三原色光に分離されているため、色フィルタ２１を透過することによる損失がない。このため、色フィルタ２１を透過したＲＧＢの三原色光の光量は、前述の第１又は第２の実施の形態と比較すると大きい。
【００６９】
図中ｃはＲＧＢ原色光が混合された光であり、図中ｄは第２の液晶板２３においてセルごとに輝度によって変調された光である。
【００７０】
第３の実施の形態によると、第１の液晶板２０及び色フィルタ２１に入射する光は、プリズム３２によって予めＲＧＢの三原色光に分解されている。このため、色フィルタ２１における損失がないので、第１の実施の形態と比較して３倍の明るさを確保することができる。
【００７１】
なお、第３の実施の形態においては、プリズム３２及び第２のマイクロレンズアレイ３３によってＲＧＢの三原光を水平方向に分解したが、色フィルタの構成に応じて水平方向又は垂直方向の任意の方向に設定することができる。
【００７２】
図７は、第４の実施の形態による画像の生成を示す図である。
【００７３】
図７（Ａ）は、第４の実施の形態のプロジェクタ装置の要部の構成を示す断面図である。第１の実施の形態のプロジェクタ装置と共通する部材については、同一の符号を附して説明を省略する。
【００７４】
第４の実施の形態のプロジェクタ装置は、第１の実施の形態のプロジェクタ装置において、色フィルタ２１を第２の液晶板２３の後段に移動し、第１の液晶板２０を輝度信号で制御し、第２の液晶板２３を色信号で制御するように変更したものである。他の部分の構成については、図１に示した第１の実施の形態のプロジェクタ装置と同様である。
【００７５】
図７（Ｂ）は、図７（Ａ）の各部における光の構成を示す図である。図中ａは、照明系から入射された白色光であり、図中ｂは、第１の液晶板２０のセルごとに輝度信号によってされた白色光である。図中ｃは、第２の液晶板２３及び色フィルタ２１において、第１の液晶板２０のセルに対応するＲＧＢ単位によって色分解されたＲＧＢの三原色光である。図中ｄは、ＲＧＢ単位によって色分離されたＲＧＢの三原色光がスクリーン２６上で合成されたものである。
【００７６】
第４の実施の形態では、第１の液晶板２０におけるセルと、スクリーン２６上の画素が対応している。また、第２の液晶板２３及び色フィルタ２１におけるＲＧＢ単位のセルには、第１の液晶板２０のセルが対応し、また、スクリーン２６上における画素が対応している。
【００７７】
図８は、プロジェクタ装置の第５の実施の形態の構成を示す断面図である。
【００７８】
第５の実施の形態のプロジェクタ装置は、第１の実施の形態のプロジェクタ装置の第２の液晶板２３及び第３の位相板２４を、ＤＬＰ素子３４で置き換えたものである。ＤＬＰ素子は、多数の微細な鏡面を備え、各鏡面の角度を制御することでスクリーンに投影する画像を変調する。
【００７９】
ＤＬＰ素子３４は、照明系から第２の液晶板２２に至る光軸と傾斜させて配置されている。ＤＬＰ素子３４で変調された光は、ＤＬＰ素子３４で反射される方向に進み、投影レンズ２５を介してスクリーン２６上に投影される。他の部分の構成については、図１に示した第１の実施の形態のプロジェクタ装置と同様である。
【００８０】
以上の実施の形態によると、従来の３板式のプロジェクタ装置と比較して、位相板、液晶板、分光光学系、ダイクロイックミラーなどの部材を格段に削減することができる。これにもかかわらず，白黒画像の解像度は３板式と同等である。色解像度については、３板式に比べると低下するが、人間の目は白黒の解像度に比べて色に対する解像度はきわめて低いので、解像度の低下はほとんど問題にならないレベルである。
【００８１】
なお、前述の実施の形態においては、マイクロレンズアレイを独立の部材として示したが、これに代わって、開口率を上げるために液晶板に付加されているマイクロアレイレンズを利用することもできる。また、マイクロレンズアレイによるＲＧＢの三原色光の集光は、色フィルタの構成に応じて画像の水平方向又は垂直方向に何れにでも任意に設定することができる。また、マイクロレンズアレイによるＲＧＢの三原色光の集光は、色フィルタの構成に応じてストライプ上でも格子状でもよい。
【００８２】
【発明の効果】
前述のように、本発明によると、スクリーンに画像を投影するプロジェクタ装置であって、簡単な構成の光学系を有するプロジェクタ装置を提供することができる。
【図面の簡単な説明】
【図１】第１の実施の形態のプロジェクタ装置の概略的な構成を示す断面図である。
【図２】第１の実施の形態における画像の生成を説明する図である。
【図３】スクリーン上における画素の配置を説明する図である。
【図４】第２の実施の形態における画像の生成を説明する図である。
【図５】第３の実施の形態における画像の生成を説明する図である。
【図６】色フィルタにおけるＲＧＢの配列の具体例を示す図である。
【図７】第４の実施の形態における画像の生成を説明する図である。
【図８】第５の実施の形態における画面の生成を説明する図である。
【図９】従来の３板式のプロジェクタ装置の概略的な構成を示すブロック図である。
【符号の説明】
１０　プロジェクタ装置
１１　光源
１７　コンデンサレンズ
１８　第１の位相板
２０　第１の液晶板
２１　色フィルタ
２２　第２の位相板
２３　第２の液晶板
２４　第３の位相板
２５　投影レンズ
２６　スクリーン
【図１】
2004037702.tif 000003
【図２】
2004037702.tif 000004
【図３】
2004037702.tif 000005
【図４】
2004037702.tif 000006
【図５】
2004037702.tif 000007
【図６】
2004037702.tif 000008
【図７】
2004037702.tif 000009
【図８】
2004037702.tif 000010
【図９】
2004037702.tif 000011